(57)【要約】【課題】ステントの配置を好適に維持可能なアンカーステントを提供する。【解決手段】アンカーステント２１は、長尺の筒状体２１ａと、筒状体２１ａの長尺方向において間隔を空けて設けられた２つのフランジ部２１ｂ、２１ｂａと、少なくとも筒状体２１ａを構成する樹脂膜２１ｃと、を備える。アンカーステント２１は、近接する生体器官のそれぞれに設けられた挿通穴に筒状体２１ａが通されて、２つのフランジ部２１ｂ、２１ｂａが係合することにより、生体器官を連結する。２つのフランジ部２１ｂ、２１ｂａのそれぞれには、筒状体２１ａの内部空間とそれぞれのフランジ部２１ｂ、２１ｂａの外部とを連通する開孔２１ｆ、２１ｆａが形成されている。筒状体２１ａの径は、長尺方向において異なり、筒状体２１ａの最大径は、２つのフランジ部２１ｂ、２１ｂａのいずれの径よりも小さい。【選択図】図１
2020092947.tif 000002
【特許請求の範囲】
【請求項１】
長尺の筒状体と、
該筒状体の長尺方向において間隔を空けて設けられた２つのフランジ部と、
少なくとも前記筒状体を構成する樹脂膜と、を備えて、
近接する生体器官のそれぞれに設けられた挿通穴に前記筒状体が通されて、前記２つのフランジ部が係合することにより、前記生体器官を連結するアンカーステントであって、
前記２つのフランジ部のそれぞれには、前記筒状体の内部空間とそれぞれの前記フランジ部の外部とを連通する開孔が形成されており、
前記筒状体の径は、長尺方向において異なり、
前記筒状体の最大径は、前記２つのフランジ部のいずれの径よりも小さいことを特徴とするアンカーステント。
【請求項２】
前記筒状体は、前記２つのフランジ部の間に設けられて径方向に湾曲しつつ長尺方向に延在している湾曲部を有する請求項１に記載のアンカーステント。
【請求項３】
前記湾曲部は、前記筒状体の長手方向に複数設けられており、全体の表面形状が波状である請求項２に記載のアンカーステント。
【請求項４】
前記湾曲部は、径方向内側にくびれたくびれ部である請求項２又は３に記載のアンカーステント。
【請求項５】
前記筒状体は、一方側の前記フランジ部に接続されている第１部位と、他方側の前記フランジ部に接続されている第２部位と、を有し、
前記筒状体において、前記第１部位と第２部位とは、異なる径で形成されている請求項１から４のいずれか一項に記載のアンカーステント。
【請求項６】
前記２つのフランジ部は、異なる径で形成されている請求項１から５のいずれか一項に記載のアンカーステント。
【請求項７】
前記一方側のフランジ部は、前記他方側のフランジ部よりも大きな径で形成されており、
前記第１部位は、前記第２部位よりも大きな径で形成されている請求項５を引用する請求項６に記載のアンカーステント。
【請求項８】
前記他方側のフランジ部は、前記一方側のフランジ部よりも高い曲げ剛性を有する請求項７に記載のアンカーステント。
【発明の詳細な説明】
【技術分野】
【０００１】
本発明は、生体器官同士を連結するアンカーステントに関する。
【背景技術】
【０００２】
一般的に、胆石、腫瘍、炎症等により胆管や膵管等が閉塞した場合に、胆汁や膵液を体外に排出する胆管ドレナージや膵管ドレナージが行われている。さらに、腫瘍による狭窄等によって、内視鏡を用いたカテーテルによるファーター乳頭へのアクセスが困難である場合に、複数の生体器官（臓器間）を連結して胆汁や膵液を通すバイパスを形成するために、アンカーステントが用いられることがある。
【０００３】
例えば、特許文献１には、臓器間を連結しながら、その移動（マイグレーション）を抑制可能なアンカーステント（同文献には、バイパス用ステントと記載。）の開示がある。
具体的には、特許文献１に開示されたアンカーステントは、細長い筒状体（同文献には、本体部と記載。）と、筒状体の両端部に設けられ、弾性を有する線状の部材により形成されたフッキング部と、備える。そして、フッキング部の先端部が管腔臓器の内壁に当接することによって、アンカーステントの移動を抑制できるというものである。
【先行技術文献】
【特許文献】
【０００４】
【特許文献１】特開２０１５−６６２２１号公報
【発明の概要】
【発明が解決しようとする課題】
【０００５】
従来のステントにおいては、直管状に筒状体が形成されているため、例えば、臓器に形成された挿通穴の径方向の大きさが長尺方向において異なる場合には、身体組織から加わる荷重を筒状体に分散できず、当該荷重がフッキング部に偏りやすかった。
この点において、より荷重の偏りが少なく、フッキング部から身体組織に加わる反力を抑制して、ステントの配置を好適に維持できるものが求められていた。
本発明は、上記課題に鑑みてなされたものであり、ステントの配置を好適に維持可能なアンカーステントを提供することを課題とする。
【課題を解決するための手段】
【０００６】
本発明のアンカーステントは、長尺の筒状体と、該筒状体の長尺方向において間隔を空けて設けられた２つのフランジ部と、少なくとも前記筒状体を構成する樹脂膜と、を備えて、近接する生体器官のそれぞれに設けられた挿通穴に前記筒状体が通されて、前記２つのフランジ部が係合することにより、前記生体器官を連結するアンカーステントであって、前記２つのフランジ部のそれぞれには、前記筒状体の内部空間とそれぞれの前記フランジ部の外部とを連通する開孔が形成されており、前記筒状体の径は、長尺方向において異なり、前記筒状体の最大径は、前記２つのフランジ部のいずれの径よりも小さいことを特徴とする。
【発明の効果】
【０００７】
上記構成を備える本発明のアンカーステントは、ステントの配置を好適に維持可能なアンカーステントを提供することができる。
【図面の簡単な説明】
【０００８】
【図１】第１実施形態に係るアンカーステントを示す模式的な側面図である。
【図２】アンカーステントが連結する生体器官を示す説明図である。
【図３】第２実施形態に係るアンカーステントを示す模式的な側面図である。
【図４】第３実施形態に係るアンカーステントを示す模式的な側面図である。
【図５】第４実施形態に係るアンカーステントを示す模式的な側面図である。
【図６】第５実施形態に係るアンカーステントを示す模式的な側面図である。
【発明を実施するための形態】
【０００９】
以下、本発明の実施形態に係るアンカーステントについて、図面を用いて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。
【００１０】
＜第１実施形態＞
＜概要＞
まず本発明のアンカーステントの概要について、第１実施形態に係るアンカーステント２１を例に、図１及び図２を参照して説明する。図１は、第１実施形態に係るアンカーステント２１を示す模式的な側面図、図２は、アンカーステント２１が連結する生体器官（臓器）を示す説明図である。なお、図２は、アンカーステント２１によって連結可能な生体器官の例を示すものであり、複数のアンカーステント２１が同時に使用されることを説明するものではない。また、図２においては、アンカーステント２１のフランジ部２１ｂ、２１ｂａを省略しており、筒状体２１ａを直筒状に簡略化して示している。
【００１１】
本実施形態に係るアンカーステント２１は、長尺の筒状体２１ａと、筒状体２１ａの長尺向において間隔を空けて設けられた２つのフランジ部２１ｂ、２１ｂａと、少なくとも筒状体２１ａを構成する樹脂膜２１ｃと、を備える。近接する生体器官（例えば胆嚢５と十二指腸７）のそれぞれに設けられた挿通穴５ａ、７ａに筒状体２１ａが通される。アンカーステント２１は、挿通穴５ａ、７ａに筒状体２１ａが通された状態で、２つのフランジ部２１ｂ、２１ｂａが生体器官（例えば胆嚢５の内壁と十二指腸７の内壁）に係合することにより、生体器官（例えば胆嚢５と十二指腸７）を連結するものである。
２つのフランジ部２１ｂ、２１ｂａのそれぞれには、筒状体２１ａの内部空間とそれぞれのフランジ部２１ｂ、２１ｂａの外部とを連通する開孔２１ｆ、２１ｆａが形成されている。
筒状体２１ａの径（径ｄ１、ｄ２）は、長尺方向において異なり、筒状体２１ａの最大径は、２つのフランジ部２１ｂ、２１ｂａのいずれの径（径Ｄ）よりも小さいことを特徴とする。
【００１２】
上記構成によれば、フランジ部２１ｂ、２１ｂａを生体器官の挿通穴の縁面に係合させつつ、筒状体２１ａにおいても、例えば筒状体２１ａの形状に対応して長尺方向において径が異なる挿通穴の内壁面に係合させやすくなる。このため、アンカーステント２１のアンカー機能をより高めることができ、アンカーステント２１の配置を好適に維持可能となる。
【００１３】
上記の「２つのフランジ部」は、筒状体の長尺方向における間隔が最も大きい２つのフランジ部を意味しており、これらのフランジ部以外に他のフランジ部がアンカーステントに備えられていてもよい。
なお、フランジ部に形成された「開孔」は、筒状体の内腔が延出して形成されるものに限定されない。
つまり、「開孔」は、流動物の流通を可能とするように筒状体の内腔に連通していればよい。具体的には、フランジ部が筒状体の内腔を塞ぐように設けられていても、塞ぐ部分がメッシュ状のワイヤによって構成されていることにより、流動物を流通させることを可能とするワイヤの目開き部分も「開孔」に含まれるものとする。
また、上記の「挿通穴」は、貫通孔であっても、有底の穴であってもよい。挿通穴が有底の穴である場合には、アンカーステントは、生体器官の組織に設けられた有底の穴に端部を挿し込まれて、例えば、当該組織から滲み出す組織液を近接する生体器官に通すものとして機能する。
また、筒状体又はフランジ部に係る「径」とは、楕円形に係る長径、角丸形に係る対角線長を意味し、中心軸に垂直な線分であって、中心軸と外面の一部とを結ぶ線分のうち長い線分の長さをいうものとする。
【００１４】
アンカーステント２１は、図２に示すように、腫瘍Ｔ等により、不図示のファーター乳頭への内視鏡を介した不図示のカテーテルのアクセスが困難である場合に、複数の生体器官（臓器間）を連結して胆汁や膵液を通すバイパスを形成するためのものである。
具体的には、アンカーステント２１は、近接する生体器官である、胃２と肝臓３、胃２と膵管６、胆管４と十二指腸７、又は胆嚢５と十二指腸７のそれぞれに設けられた挿通穴２ａ、３ａ、４ａ、５ａ、６ａ、７ａに筒状体２１ａが通されて、これらの生体器官を連結するものである。
【００１５】
＜構成＞
次に、図１を参照して、アンカーステント２１の構成の詳細について説明する。アンカーステント２１は、筒状体２１ａと、筒状体２１ａの両端部にある２つのフランジ部２１ｂ、２１ｂａと、を有する。
例えば、アンカーステント２１は、初期段階において、レーザカットされて錐台形状に形成されたメッシュである筒状体２１ａと、フランジ部２１ｂ、２１ｂａを形成する前の円筒状のメッシュと、が結び合わせて構成されている。その後、円筒状のメッシュにフランジ部２１ｂ、２１ｂａを形成するように変形させた上で、熱処理を施して形状を維持させるようにしてアンカーステント２１が形成されるものである。
【００１６】
その他、アンカーステント２１は、ニチノール等の形状記憶特性を有する金属ワイヤを編み込み、熱処理を施して形状を保持させるようにして形成されるものであってもよい。
このような金属ワイヤの編み込みによるものであれば、筒状体２１ａと、フランジ部２１ｂ、２１ｂａと、を一体的、かつ連続的に形成することも可能であり、より形状保持性の優れたアンカーステント２１を形成することが可能となる。
【００１７】
本実施形態に係るアンカーステント２１の筒状体２１ａ、及び２つのフランジ部２１ｂ、２１ｂａは、一例としてシリコン製の樹脂膜２１ｃを含んで構成されている。そして、内部空間２１ｅのフランジ部２１ｂ側の内径と開孔２１ｆの内径、及び内部空間２１ｅのフランジ部２１ｂａ側の内径と開孔２１ｆａの内径は同一（略同一を含む）の内径で形成されている。
【００１８】
例えば、メッシュ（ワイヤ）を溶融樹脂に浸して、樹脂膜２１ｃを形成した場合には、メッシュ（ワイヤ）を覆う部分とこれを覆わない部分とで、筒状体２１ａの厚み、及びフランジ部２１ｂ、２１ｂａの厚みが均一ではなくなることがある。このような場合において、上記の「内部空間２１ｅのフランジ部２１ｂ側の内径と開孔２１ｆの内径、及び内部空間２１ｅのフランジ部２１ｂａ側の内径と開孔２１ｆａの内径が同一」とは、メッシュ（ワイヤ）を覆う部分同士又はこれを覆わない部分同士で比較した場合に同一であることを意味する。
換言すると、アンカーステント２１の軸線を含む任意の断面で、筒状体２１ａと、フランジ部２１ｂ、２１ｂａと、の間において、メッシュ（ワイヤ）を覆う複数部位の軸線側を結んだ仮想線分又はこれを覆わない部分を結んだ仮想線分が連続するように形成されている。
このような構成により、胆汁又は膵液等が、内部空間２１ｅと開孔２１ｆ、２１ｆａとをスムーズに流れることになる。
【００１９】
特に、本実施形態に係る筒状体２１ａは、一方側のフランジ部２１ｂに接続されている第１部位２１ａａと、他方側のフランジ部２１ｂａに接続されている第２部位２１ａｂと、を有する。
筒状体２１ａにおいて、第１部位２１ａａと第２部位２１ａｂとは、異なる径で形成されている。具体的には、第１部位２１ａａの径ｄ１は、第２部位２１ａｂの径ｄ２と異なる、より大きな径で形成されている。
【００２０】
上記構成によれば、生体器官である臓器の大きさの違い等により、挿通穴（挿通穴５ａ、７ａ等）が異なる大きさで形成されている場合に、挿通穴の形状に適した形状のアンカーステント２１を選択できる。
このため、挿通穴に筒状体２１ａを通したときに挿通穴の壁面に筒状体２１ａを密着させることができ、アンカーステント２１がブレにくくなり、生体器官の挿通孔から外れにくくなる。
【００２１】
また、本実施形態に係るフランジ部２１ｂ、２１ｂａは、角張った形状で模式的に示しているが、丸みを帯びて角を有しない面取り形状であると、生体内に留置する上で好適であることは言うまでもなく、他の実施形態についても同様である。
なお、筒状体の径は、長尺方向において異なるものであれば、上記のようにフランジ部２１ｂに接続される第１部位２１ａａの径と、フランジ部２１ｂａに接続される第２部位２１ａｂの径が異なるものに限定されない。これについては、後の実施形態において詳しく説明する。
【００２２】
＜第２実施形態＞
次に、図３を参照して、第２実施形態に係るアンカーステント２２の構成の詳細について説明する。図３は、第２実施形態に係るアンカーステント２２を示す模式的な側面図である。
アンカーステント２２の特徴的な構成である筒状体２２ａは、２つのフランジ部２２ｂ、２２ｂａの間に設けられて径方向に湾曲しつつ長尺方向に延在している湾曲部２２ｇを有する。
上記の「径方向に湾曲」とは、太さが中心軸に近接する方向に収縮、又は太さが中心軸に離間する方向に拡大していることをいう。
上記の「長尺方向に延在」とは、長尺方向成分を含んで延在していることを意味する。
また、上記の「湾曲部」は、滑らかに曲がって曲面を完全に形成している部位に限定されず、屈曲している部位（例えば階段状に形成されている部位）も含むものとする。
【００２３】
上記構成によれば、筒状体２２ａが湾曲部２２ｇを有することで、湾曲部２２ｇに当接する生体器官に対して多くの方向の抗力を付与することができる。このため、フランジ部２２ｂ、２２ｂａに対してフランジ部２２ｂ、２２ｂａの抜脱方向に挿通穴の縁から荷重が加わることを抑制することができる。
【００２４】
特に、本実施形態に係る２つのフランジ部２２ｂ、２２ｂａは、異なる径（Ｄ１、Ｄ２）で形成されている。
上記構成によれば、長尺方向において径の異なる筒状体２２ａ、又は係合する生体器官（の挿通穴の縁）に合わせて、径の異なるフランジ部２２ｂ、２２ｂａを選択することで、アンカーステント２２を生体器官に好適に係合させることができる。
【００２５】
特に、本実施形態に係る一方側のフランジ部２２ｂは、他方側のフランジ部２２ｂａの径Ｄ２よりも大きな径Ｄ１で形成されている。
また、筒状体２２ａにおいて、一方側のフランジ部２２ｂに接続されている第１部位２２ａａは、他方側のフランジ部２２ｂａに接続されている第２部位２２ａｂの径ｄ２も大きな径ｄ１で形成されている。つまり、筒状体２２ａは、フランジ部２２ｂａ側からフランジ部２２ｂ側に向かうにつれて、漸次拡径するように形成されている。
上記構成によれば、近接する生体器官に対して、他方側（小径側）のフランジ部２２ｂａにおいて、一方側（大径側）のフランジ部２２ｂと同程度の係合深さを確保することができる。
【００２６】
さらには、フランジ部２２ｂの径Ｄ１と、筒状体２２ａにおける第１部位２２ａａの径ｄ１と、の差よりも、フランジ部２２ｂａの径Ｄ２と、筒状体２２ａにおける第２部位２２ａｂの径ｄ２のと、の差の方が大きいと好適である。
上記のように、フランジ部２２ｂａ側からフランジ部２２ｂ側に向かうにつれて、漸次拡径するように形成されているため、筒状体２２ａが生体器官の挿通穴の壁面に加わる筒状体２２ａからの荷重により生体器官がフランジ部２２ｂａ側に移動しやすい。このため、フランジ部２２ｂよりもフランジ部２２ｂａ側に生体器官の挿通穴の縁から大きな荷重が加わりやすい。上記構成によれば、当該荷重によって、生体器官がアンカーステント２２に対して相対的に移動したとしても、フランジ部２２ｂａによる係合を維持しやすくなり、アンカーステント２２からの抜脱を好適に回避することが可能となる。
【００２７】
また、例えば、他方側のフランジ部２２ｂａは、一方側のフランジ部２２ｂよりも高い曲げ剛性を有すると好ましい。
上記の「曲げ剛性」について、より具体的には、周方向の単位長さ当たりの曲げ剛性をいう。
上記構成によれば、小径であるため挿通穴の縁部との接触面積が相対的に少なくなりやすく、抜脱方向の圧力が加わりやすい他方側のフランジ部２２ｂａが変形することを抑制し、生体器官の挿通穴から抜けることを抑制できる。
上記の説明以外は、アンカーステント２１とアンカーステント２２とは、共通しているため、その説明を省略する。以下の実施形態においても同様である。
【００２８】
＜第３実施形態＞
次に、図４を参照して、第３実施形態に係るアンカーステント２３の構成の詳細について説明する。図４は、第３実施形態に係るアンカーステント２３を示す模式的な側面図である。
本実施形態に係るアンカーステント２３の筒状体２３ａに設けられた湾曲部は、径方向内側にくびれたくびれ部２３ｇである。筒状体２３ａは、くびれ部２３ｇによって長手方向中央側に向かうに連れて漸次縮径するように、湾曲した外面を有して構成されている。
【００２９】
上記構成によれば、アンカーステント２３に保持されて近接する生体器官に対して、くびれ部２３ｇから筒状体２３ａの中央側に向かう成分を有する荷重が加わることになる。このため、くびれ部２３ｇの小径側（長手方向中央側）に誘導することができる。したがって、長尺方向の両端部側にあるフランジ部２３ｂ、２３ｂａに生体器官から荷重が加わることを抑制し、生体器官の挿通孔からアンカーステント２３が抜脱することを抑制できる。
【００３０】
＜第４実施形態＞
次に、図５を参照して、第４実施形態に係るアンカーステント２４の構成の詳細について説明する。図５は、第４実施形態に係るアンカーステント２４を示す模式的な側面図である。
本実施形態に係るアンカーステント２４の筒状体２４ａは、凡そテーパ状に形成されており、一方側のフランジ部２４ｂに接続されている第１部位２４ａａと、他方側のフランジ部２４ｂａに接続されている第２部位２４ａｂと、を有する。
筒状体２４ａにおいて、第１部位２４ａａは、第２部位２４ａｂより大きな径で形成されている。
【００３１】
筒状体２４ａには、湾曲部２４ｇが外表面に設けられており、湾曲部２４ｇは、筒状体２４ａの長手方向に複数連続して設けられており、全体の表面形状が波状である。
上記のように、複数の湾曲部２４ｇの全体の表面形状が波状であることで、生体器官の挿通穴の内壁面に対して、接触面積を大きくしやすいため、その保持性を高めることができる。
さらに、複数の湾曲部２４ｇが設けられていることで、距離が離れた生体器官同士がフランジ部２４ｂ、２４ｂａから離れた位置にあっても、その位置にある湾曲部２４ｇからの摩擦力を生体器官の挿通穴の内壁面に加えられることが可能となる。この摩擦力により、アンカーステント２４の移動を制限することができる。
上記実施形態においては、湾曲部２４ｇは、複数連続して設けられているものとして説明したが、本発明に係る湾曲部はこのような構成に限定されない。湾曲部２４ｇは、詳細については後述するが、筒状体２４ａの長手方向に断続的に設けられていてもよい。
【００３２】
＜第５実施形態＞
次に、図６を参照して、第５実施形態に係るアンカーステント２５の構成の詳細について説明する。図６は、第５実施形態に係るアンカーステント２５を示す模式的な側面図である。
本実施形態に係るアンカーステント２５の筒状体２５ａは、凡そ直進する筒状に形成されている。筒状体２５ａには、湾曲部２５ｇが外表面に設けられており、湾曲部２５ｇは、筒状体２５ａの長手方向に複数連続して設けられており、全体の表面形状が波状である。
【００３３】
上記のように、複数の湾曲部２５ｇの全体の表面形状が波状であることで、生体器官の挿通穴の内壁面に対して、接触面積を大きくしやすいため、その保持性を高めることができる。さらに、複数の湾曲部２５ｇを設けることで、距離が離れた生体器官同士がフランジ部２５ｂ、２５ｂａから離れた位置にあっても、その位置にある湾曲部２５ｇからの摩擦力を生体器官の挿通穴の内壁面に加えることが可能となる。この摩擦力により、アンカーステント２５の移動を制限することができる。
【００３４】
本発明は、上記実施形態に示されたものにのみ限定されるものではない。
例えば、図５及び図６に示す、湾曲部２４ｇ、２５ｇは、筒状体２４ａ、２５ａの長手方向において隣接する湾曲部２４ｇ、２５ｇ同士の端部が繋がって連続的に複数形成されている。しかしながら、本発明はこのような構成に限定されず、湾曲部２４ｇ、２５ｇは、湾曲部２４ｇ、２５ｇの間に平坦な部位（平面部又は傾斜面部）が設けられていることにより、断続的に形成されていてもよい。
例えば、フランジ部２４ｂ、２４ｂａ、２５ｂ、２５ｂａの近傍にのみ設けられて、中央部側に設けられていなくてもよい。
このような構成によれば、フランジ部２４ｂ、２４ｂａ、２５ｂ、２５ｂａの近傍において、湾曲部２４ｇ、２５ｇにより、生体器官の挿通穴の壁面への係合を確保することが可能となる、さらに筒状体２４ａ、２５ａの中央部側においては、湾曲部が形成されていないことで外面及び内面を平坦にすることが容易にできる。このため、アンカーステント内に流動物を円滑に通すことができる。
【００３５】
その他、湾曲部２４ｇとフランジ部２４ｂ、２４ｂａとの間、又は、湾曲部２５ｇとフランジ部２５ｂ、２５ｂａとの間に、生体器官の肉厚に近い幅の平坦な部位が形成されていてもよい。このような構成によれば、湾曲部２４ｇとフランジ部２４ｂ、２４ｂａとの間、又は、湾曲部２５ｇとフランジ部２５ｂ、２５ｂａとの間で生体器官の壁を挟み込むことが可能となる。これにより、生体器官の相対的な移動（振れ）を抑制することができ、アンカーステント２４、２５を好適に留置することができる。
【００３６】
さらには、図５及び図６に示す、筒状体２４ａ、２５ａの内面は凹凸を有するように示しているが、樹脂膜の厚さを局所的に変えて凹部を埋めるようにしてもよい。このようにすれば、流動物の一部が凹部に堆積することを抑制できる。
【００３７】
上記実施形態は、以下の技術思想を包含するものである。
（１）長尺の筒状体と、
該筒状体の長尺方向において間隔を空けて設けられた２つのフランジ部と、
少なくとも前記筒状体を構成する樹脂膜と、を備えて、
近接する生体器官のそれぞれに設けられた挿通穴に前記筒状体が通されて、前記２つのフランジ部が係合することにより、前記生体器官を連結するアンカーステントであって、
前記２つのフランジ部のそれぞれには、前記筒状体の内部空間とそれぞれの前記フランジ部の外部とを連通する開孔が形成されており、
前記筒状体の径は、長尺方向において異なり、
前記筒状体の最大径は、前記２つのフランジ部のいずれの径よりも小さいことを特徴とするアンカーステント。
（２）前記筒状体は、前記２つのフランジ部の間に設けられて径方向に湾曲しつつ長尺方向に延在している湾曲部を有する（１）に記載のアンカーステント。
（３）前記湾曲部は、前記筒状体の長手方向に複数設けられており、全体の表面形状が波状である（２）に記載のアンカーステント。
（４）前記湾曲部は、径方向内側にくびれたくびれ部である（２）又は（３）に記載のアンカーステント。
（５）前記筒状体は、一方側の前記フランジ部に接続されている第１部位と、他方側の前記フランジ部に接続されている第２部位と、を有し、
前記筒状体において、前記第１部位と第２部位とは、異なる径で形成されている（１）から（４）のいずれか一項に記載のアンカーステント。
（６）前記２つのフランジ部は、異なる径で形成されている（１）から（５）のいずれか一項に記載のアンカーステント。
（７）前記一方側のフランジ部は、前記他方側のフランジ部よりも大きな径で形成されており、
前記第１部位は、前記第２部位よりも大きな径で形成されている（５）を引用する（６）に記載のアンカーステント。
（８）前記他方側のフランジ部は、前記一方側のフランジ部よりも高い曲げ剛性を有する（７）に記載のアンカーステント。
【符号の説明】
【００３８】
２  胃（生体器官）
２ａ  挿通穴
３  肝臓（生体器官）
３ａ  挿通穴
４  胆管（生体器官）
４ａ  挿通穴
５  胆嚢（生体器官）
５ａ  挿通穴
６  膵管（生体器官）
６ａ  挿通穴
７  十二指腸（生体器官）
７ａ  挿通穴
２１  アンカーステント
２１ａ  筒状体
２１ａａ  第１部位
２１ａｂ  第２部位
２１ｂ、２１ｂａ  フランジ部
２１ｃ  樹脂膜
２１ｅ  内部空間
２１ｆ、２１ｆａ  開孔
２２  アンカーステント
２２ａ  筒状体
２２ａａ  第１部位
２２ａｂ  第２部位
２２ｂ、２２ｂａ  フランジ部
２２ｇ  湾曲部
２３  アンカーステント
２３ａ  筒状体
２３ｂ、２３ｂａ  フランジ部
２３ｇ  くびれ部（湾曲部）
２４  アンカーステント
２４ａ  筒状体
２４ａａ  第１部位
２４ａｂ  第２部位
２４ｂ、２４ｂａ  フランジ部
２４ｇ  湾曲部
２５  アンカーステント
２５ａ  筒状体
２５ｇ  湾曲部
Ｔ  腫瘍
【図１】
2020092947.tif 000003
【図２】
2020092947.tif 000004
【図３】
2020092947.tif 000005
【図４】
2020092947.tif 000006
【図５】
2020092947.tif 000007
【図６】
2020092947.tif 000008